(57)【要約】      （修正有）【課題】複数本からなる収納筒を設置したイカ角投入器において、イカ角が収納筒の各所の引っ掛かかり防止やイカ角投入器を外向けに設置して海中への投入をスムーズにするイカ角投入器を開発する。【解決手段】直立し並列して設置した複数本からなるイカ釣り用のイカ角の収納筒において、イカ角と仕掛け糸のハリスやミキ糸の一部が入る長さの収納筒の下端に海向投入口を設け、収納筒の海面側前方正面にイカ角が接続した仕掛け糸を通過させるための通過溝を設け、収納筒の上端後部から斜め前方下部に漏斗状にカーブを描いて通過溝の上部に向かって開口させた挿入口を設置し、通過溝の上部に仕掛け糸の通過が可能で通過溝の幅より狭い弾力性のある糸止め部を設置する。【選択図】図１
0003139485.tif 000002
【実用新案登録請求の範囲】
【請求項１】
直立し並列して設置した複数本からなるイカ釣り用のイカ角（１）の収納筒（２）において、イカ角と仕掛け糸（４）のハリスやミキ糸の一部が入る長さの収納筒の下端に海向投入口（３）を設け、収納筒の海面側前方正面にイカ角が接続した仕掛け糸を通過させるための通過溝（５）を設け、収納筒の上端後部から斜め前方下部に漏斗状にカーブを描いて通過溝の上部に向かって開口させた挿入口（６）を設置し、通過溝の上部に仕掛け糸の通過が可能で通過溝の幅より狭い弾力性のある糸止め部（７）を設置する構造のイカ角投入器。
【請求項２】
収納筒（２）の上部裏側に設置した上部固定板（８）の上部分を収納筒の上端より上にはみ出して設置し、上部固定板の前方表面がイカ角（１）の先端を当てて滑らせながらイカ角を収納筒へ誘導できる適度の硬軟さと滑らかさを持つ素材とする構造の請求項１記載のイカ角投入器。
【請求項３】
収納筒（１）の内壁に濡れた仕掛け糸（４）が張り付く事を防ぐ微細な凹凸（１１）を収納筒の内壁に設置した構造の請求項１記載のイカ角投入器。
【考案の詳細な説明】
【技術分野】
【０００１】  本考案は、イカ釣りに使用するイカ角の投入器に関する。
【背景技術】
【０００２】  イカ釣りに使用するイカ角は、先端に傘状に広がるハリを有し、仕掛けとしてイカ角に接続するハリスやハリスの複数本を順番に連続してミキ糸に間隔を空けてすだれ状に接続した仕掛け糸を取り付けて使用するが、イカ角が仕掛け糸にからまずに海中に投入できるようにするため、各種のイカ角投入器が知られている。
例として、直立し並列して設置した複数本からなるイカ釣り用のイカ角の収納筒において、収納筒の下部を有底とし、収納筒の上端部が筒の長さ方向に直角に切断し開口させ、この上部の開口部から上に向かってイカ角を出し入れするイカ角投入器の技術が知られている。（例えば、特許文献１参照）
また、直立し並列して設置した複数本からなるイカ釣り用のイカ角の収納筒において、収納筒の下端部を開口とし、収納筒の側方にイカ角のハリスを通過させるためハリス通過溝を設け、収納筒の上端部が筒の長さ方向に斜めに平面となる断面に切断して開口させ、開口部は所望により左右に広げて略Ｖ字状に形成し、筒内にイカ角を離脱可能に保持する舌片や突出部等の保持手段、又はハリス通過溝にハリスを挟持する挟持部を設け、収納筒のハリス通過溝を船内側に向けて設置し、イカ角を収納筒の上部から挿入し、収納筒の下部からおもりの重みを利用して海中に投入する構造で、収納筒を軽くするため短筒とし、短筒のためミキ糸が収納筒の筒外に垂れ下がり、外に垂れ下がったミキ糸がからまないように、別設のミキ糸保持装置を設置してミキ糸を保持する構造のイカ角投入器の技術が知られている。（例えば、特許文献２参照）
【特許文献１】  実開平０７−２２６７１号公報
【特許文献２】  特開平０９−３２２６８１号公報
【考案の開示】
【考案が解決しようとする課題】
【０００３】  従来の特許文献１の技術は、並列した有底の収納筒の上部から連なった個別のイカ角とハリスを個別の筒に収納し、海中に投入するときはおもりを海に向かって投げ上げると連なった個別のイカ角及びハリスが順に繰り出されて所定の位置に釣り準備されるものであるが、収納筒の開口方向が上部に向かいおもりの落ちて行く方向が下方に向かうため、イカ角の針が収納筒の開口した周壁に引っ掛かってしまう失敗が時々ある問題点がある。
従来の特許文献２の技術は、収納筒の上端開口部が斜め平面又は所望により略Ｖ字状に切断して開口させ、ハリス通過溝に接続しているため、斜め平面又は略Ｖ字状の線の向きが変わる部分で微妙に角張っており、イカ角とハリスを収納筒に投入する時、往々にして角張った所に引っ掛かって、イカ角とハリスの落下がスムーズに流れずハリスが切断することもままあり、収納筒が短筒として通過溝部分をハリスが通過する構造のため、ミキ糸が手繰られてくると筒外に垂れ下がりもつれる原因となるため、船内にミキ糸保持装置を必要とし、必然的にミキ糸の流れから収納筒のハリス通過溝の向きを船内方向にせざるを得なくなり、収納筒と船縁の間に空間をあけなければならない問題点がある。
本考案が解決しようとする課題は、以上のような問題点をなくすことである。
【課題を解決するための手段】
【０００４】  直立し並列して設置した複数本からなるイカ釣り用のイカ角の収納筒において、イカ角と仕掛け糸のハリスやミキ糸の一部が入る長さの収納筒の下端に海向投入口を設け、収納筒の海面側前方正面にイカ角が接続した仕掛け糸を通過させるための通過溝を設け、収納筒の上端後部から斜め前方下部に漏斗状にカーブを描いて通過溝の上部に向かって開口させた挿入口を設置し、通過溝の上部に仕掛け糸の通過が可能で通過溝の幅より狭い弾力性のある糸止め部を設置する構造のイカ角投入器を課題を解決するための手段として提供する。
【考案の効果】
【０００５】  本考案の効果について説明する。
従来の特許文献１の技術は、収納筒の開口方向が上部に向かい、おもりの落ちて行く方向が下方に向かうため、場合によればイカ角の針が収納筒の開口した周壁に引っ掛かってしまう失敗が時々ある問題点があり、特許文献２の技術は、収納筒の上端開口部が斜め平面又は略Ｖ字状に切断して開口させてハリス通過溝に接続しているため、斜め平面又は略Ｖ字状の開口面とハリス通過溝との接続の仕方が微妙に角張って、ハリスがハリス通過溝を落下するとき角張った所に引っ掛かって、イカ角とハリスの落下がスムーズに流れずハリスが切断することもままある問題点があったが、本考案のイカ角投入器は、収納筒の海面側前方にイカ角の仕掛け糸のミキ糸を通過させるための通過溝を設け、収納筒の上端開口部が斜めに漏斗状にカーブを描いて下部のハリス通過溝に向かった挿入口とし、通過溝の上部に弾力性のある狭持部を設置する構造にしたため下記の効果がある。
（イ）収納筒の上端開口部から上方へイカ角仕掛けを引き出す方式では、落下する方向が逆に下方になるため、開口部の縁にイカ角が引っ掛かってスムーズに流れなくなったり切断したりすることを本考案の通過溝により下へ投入する方法で防止する効果がある。
（ロ）収納筒に通過溝を備え下方開口部からイカ角仕掛けを引き出す方式では、上部の微妙に角張った縁へイカ角が引っ掛かったり、仕掛け糸が引っ掛かってスムーズに流れなくなったり切断したりすることを本考案のロート状開口断面で防止する効果がある。
（ハ）本考案の収納筒の長さが、イカ角と仕掛け糸のハリスやミキ糸の一部が入る長さにあわせた収納筒としたため、ミキ糸が収納筒の外に垂れ下がらなくなり、ミキ糸保持装置の設置の必要がなくなる効果がある。
（ニ）本考案の収納筒の通過溝が海側になるように設置したため、おもりが海側へ向かいおもりに引かれてイカ角仕掛けがスムーズに連続して海中へ自然落下していき、収納筒と船縁との間の仕掛け糸が落下する隙間の設置の必要がない効果がある。
（ホ）本考案のイカ角収納器の収納筒の上部裏側に設置した上部固定板の上部分を収納筒の上端より上にはみ出して、適度の硬軟さと滑らかさを持つ素材を設置したため、上部固定板の前方表面にイカ角の先端を当て滑らせながらイカ角を楽に収納筒へ誘導できる効果がある。
（ヘ）従来の収納筒では、イカ角を上部の挿入口から入れると、濡れた仕掛け糸が筒内に張り付き、仕掛け糸の先端に接続しているイカ角が軽いので筒内の所定の位置まで下がらずに途中で止まってしまい、イカ角および仕掛け糸の収納筒への収納が上手にできない問題があるが、本考案の収納筒の内壁に微細な横溝又はざらつき等の微細な凹凸を設置する事で、収納筒の内壁に仕掛け糸の張り付く事を防ぐ効果がある。
【考案を実施するための最良の形態】
【０００６】  以下、本考案を実施するための最良の形態について説明する。
直立し並列して設置した複数本からなるイカ釣り用のイカ角の収納筒において、イカ角と仕掛け糸のハリスやミキ糸の一部が入る長さの収納筒の下端に海向投入口を設け、収納筒の海面側前方正面にイカ角が接続した仕掛け糸を通過させるための通過溝を設け、収納筒の上端後部から斜め前方下部に漏斗状にカーブを描いて通過溝の上部に向かって開口させた挿入口を設置し、通過溝の上部に仕掛け糸の通過が可能で通過溝の幅より狭い弾力性のある糸止め部を設置する構造のイカ角投入器をこの考案を実施するための最良の形態とする。
【実施例１】
【０００７】  図１は、本考案のイカ角投入器である。
直立し並列して設置した複数本からなるイカ釣り用のイカ角１の収納筒２において、イカ角と仕掛け糸４のハリスやミキ糸の一部が入る長さの収納筒の下端に海向投入口３を設け、収納筒の海面側前方正面にイカ角が接続した仕掛け糸を通過させるための通過溝５を設け、図２のように、収納筒の上端後部から斜め前方下部に漏斗状にカーブを描いて通過溝の上部に向かって開口させた挿入口６を設置し、通過溝の上部に仕掛け糸の通過が可能で通過溝の幅より狭い弾力性のある糸止め部７を設置する構造の実施例である。【０００８】  本考案のイカ角投入器は、並列した複数本の収納筒を上部固定板８及び下部固定板９で一体として固定し、固定した収納筒を船縁の外側に通過溝を海側に向け、収納筒が海上にあるように位置を定め、上部固定板の背後に設けた固定具１０を介し、固定具のネジで締め付けて船縁に固定する。【０００９】  仕掛け糸のミキ糸の後端に接続した釣竿１２を船縁の所定の位置に置き、複数の夫れ夫れのイカ角とイカ角に接続した仕掛け糸のハリスとミキ糸の一部を、接続した順番に夫れ夫れの収納筒の上部の挿入口から投げ入れ、仕掛け糸を通過溝の上部に設置した糸止め部の狭くした弾力性を利用して保持状態にし、最後におもり１３を何時でも海中に投げ入れられるように船縁の所定の位置に置くと、仕掛け糸の収納筒外に出た遊びが少なく全体がすっきりと纏まる。
イカ釣りをするとき、ミキ糸の先端に設けたおもりを海中に投ずれば、おもりの重さに引かれて仕掛け糸が収納筒の糸止め部から外れて通過溝の下方に通過し、更に接続したイカ角が引きずられて収納筒の海向投入口から海面に落下し、仕掛け全体が海中の所定の位置まで自然落下して、イカの釣り待ち状態になる。
【実施例２】
【００１０】  図１のように、本考案のイカ角収納器の収納筒２の上部裏側に設置した上部固定板８の上部分を収納筒の上端より上にはみ出して設置し、上部固定板の前方表面がイカ角１の先端を当てて滑らせながらイカ角を収納筒へ誘導できる適度の硬軟さと滑らかさを持つ素材とする構造の実施例である。
【実施例３】
【００１１】  図３のように、本考案のイカ角投入器の収納筒２の内壁に濡れた仕掛け糸４が張り付く事を防ぐため、微細な横溝又はざらつき等の微細な凹凸１１を収納筒の内壁に設置した構造の実施例である。
従来の収納筒では、イカ角を上部の挿入口から入れると、濡れた仕掛け糸が筒内に張り付いて、先端に接続しているイカ角が軽いので筒内の所定の位置まで下がらずに途中で止まってしまい、イカ角および仕掛け糸の筒への収納が上手にできない問題があるが、本考案の収納筒の内壁に微細な横溝又はざらつき等の微細な凹凸を設置する事で、収納筒の内壁に仕掛け糸の張り付きを防ぐ。
【図面の簡単な説明】
【００１２】
【図１】本考案のイカ角投入器の実施状態を示す斜視図である。（実施例１、２）
【図２】本考案の収納筒の挿入口と通過溝を示す正面図である。（実施例１）
【図３】本考案の収納筒の使用状態を示す断面図である。（実施例３）
【符号の説明】
【００１３】  １イカ角        ２収納筒      ３海向投入口      ４仕掛け糸
５通過溝        ６挿入口      ７糸止め部        ８上部固定板
９下部固定板    １０固定具    １１微細な凹凸    １２釣竿
１３おもり
【図１】
0003139485.tif 000003
【図２】
0003139485.tif 000004
【図３】
0003139485.tif 000005